(57)【特許請求の範囲】
【請求項１】
写真処理装置のメンテナンスを構成する作業に関する情報をガイダンス画面に表示させる表示制御方法であって、
複数の前記作業のうち実施することが許可される作業の数がそれぞれ異なる複数のオペレータの種類のうちいずれか１つのオペレータの種類を入力部によって選択する第１工程、および
前記第１工程で選択されたオペレータの種類に基づいてオペレータに実施することを許可する作業に関する情報を前記ガイダンス画面に表示させる第２工程を備える、表示制御方法。
【請求項２】
前記複数のオペレータの種類は、前記複数の作業のうち全ての作業を実施することが許可される第１の種類と、前記複数の作業のうち少なくとも１つの作業を実施することが許可されない第２の種類とを含む、請求項１に記載の表示制御方法。
【請求項３】
前記複数の作業のうち前記第１工程の前に実施済みの作業がある場合、前記第２工程ではオペレータに実施することを許可する作業のうち前記実施済みの作業以外の作業に関する情報を前記ガイダンス画面に表示させる、請求項１または２に記載の表示制御方法。
【請求項４】
前記複数の作業のうち前記第１工程の前に実施済みの作業がある場合、前記第２工程では前記実施済みの作業と前記実施済みの作業以外の作業とを識別できるようにオペレータに実施することを許可する全ての作業に関する情報を前記ガイダンス画面に表示させる、請求項１または２に記載の表示制御方法。
【発明の詳細な説明】
【技術分野】
【０００１】
この発明は表示制御方法に関し、より特定的には、メンテナンスを構成する作業に関する情報をガイダンス画面に表示させる表示制御方法に関する。
【背景技術】
【０００２】
従来、たとえば特許文献１に開示されているようにオペレータ毎に装置を制御する技術が種々提案されている。通常、ラボ（現像所）等では、写真処理装置の取り扱いに習熟したオペレータ（上級オペレータ）に写真処理装置をメンテナンスモードで動作させることを許可し、上級オペレータによって写真処理装置がメンテナンスされる。
【０００３】
一般に、上級オペレータの仕事量は、写真処理装置の取り扱いに不慣れなオペレータ（初級オペレータ）の仕事量よりも多い。このような理由から業務を効率よく処理するために、ラボでは、複数の作業によって構成されるメンテナンスにおいて、難易度の高い作業を上級オペレータが実施し、難易度の低い作業を初級オペレータが実施するといったことが行われていた。つまり、複数の作業を上級オペレータと初級オペレータとによって分担して写真処理装置をメンテナンスしていた。上級オペレータと初級オペレータとは、写真処理装置の表示部に表示される同じガイダンス画面を参照して実施すべき作業に関する情報を取得していた。
【特許文献１】特開２００１−３４４４７１号公報
【発明の開示】
【発明が解決しようとする課題】
【０００４】
しかし、上級オペレータと初級オペレータとが同じガイダンス画面を参照するので、初級オペレータが難易度の高い作業をも実施してしまうおそれがあった。ひいては、メンテナンスにおいて重大なミスを発生させるおそれがあった。
【０００５】
それゆえに、この発明の主たる目的は、メンテナンスを構成する複数の作業を複数のオペレータによって分担しつつもミスの発生を防止できる、表示制御方法を提供することである。
【課題を解決するための手段】
【０００６】
上述の目的を達成するために、請求項１に記載の表示制御方法は、写真処理装置のメンテナンスを構成する作業に関する情報をガイダンス画面に表示させる表示制御方法であって、複数の作業のうち実施することが許可される作業の数がそれぞれ異なる複数のオペレータの種類のうちいずれか１つのオペレータの種類を入力部によって選択する第１工程、および第１工程で選択されたオペレータの種類に基づいてオペレータに実施することを許可する作業に関する情報をガイダンス画面に表示させる第２工程を備える。
【０００７】
請求項２に記載の表示制御方法は、請求項１に記載の表示制御方法において、複数のオペレータの種類は、複数の作業のうち全ての作業を実施することが許可される第１の種類と、複数の作業のうち少なくとも１つの作業を実施することが許可されない第２の種類とを含むことを特徴とする。
【０００８】
請求項３に記載の表示制御方法は、請求項１または２に記載の表示制御方法において、複数の作業のうち第１工程の前に実施済みの作業がある場合、第２工程ではオペレータに実施することを許可する作業のうち実施済みの作業以外の作業に関する情報をガイダンス画面に表示させることを特徴とする。
【０００９】
請求項４に記載の表示制御方法は、請求項１または２に記載の表示制御方法において、複数の作業のうち第１工程の前に実施済みの作業がある場合、第２工程では実施済みの作業と実施済みの作業以外の作業とを識別できるようにオペレータに実施することを許可する全ての作業に関する情報をガイダンス画面に表示させることを特徴とする。
【００１０】
請求項１に記載の表示制御方法では、オペレータの種類に基づいてオペレータに実施することを許可する作業に関する情報のみをガイダンス画面に表示させる。これによって、難易度の高い作業を初級オペレータが実施するといったことを防止でき、メンテナンスを構成する複数の作業を複数のオペレータによって分担しつつもミスの発生を防止できる。
【００１１】
請求項２に記載の表示制御方法では、選択されたオペレータの種類が第１の種類である場合、メンテナンスを構成する複数の作業うち全ての作業に関する情報をガイダンス画面に表示させる。したがって、上級オペレータによって、メンテナンスの全ての作業を行い、メンテナンスを完了させることができる。
【００１２】
請求項３に記載の表示制御方法では、メンテナンスを構成する複数の作業のうち第１工程の前に実施済みの作業がある場合、オペレータに実施することを許可する作業のうち実施済みの作業以外の作業に関する情報をガイダンス画面に表示させる。つまり、オペレータに実施することを許可する作業のうち未実施の作業に関する情報のみをガイダンス画面に表示させる。これによって、初級オペレータが実施した作業を上級オペレータが誤ってもう一度実施してしまうといったことを防止できる。
【００１３】
請求項４に記載の表示制御方法では、メンテナンスを構成する複数の作業のうち第１工程の前に実施済みの作業がある場合、実施済みの作業と未実施の作業とを識別できるようにオペレータに実施することを許可する全ての作業に関する情報をガイダンス画面に表示させる。これによって、初級オペレータが実施した作業を上級オペレータが誤ってもう一度実施してしまうといったことを防止できる。また、実施済みの作業であっても当該作業が適正に行われたが否かが不安である場合、実施済みの作業をもう一度実施することができる。
【発明の効果】
【００１４】
この発明によれば、メンテナンスを構成する複数の作業を複数のオペレータによって分担しつつもミスの発生を防止できる。
【発明を実施するための最良の形態】
【００１５】
以下、図面を参照して、この発明の実施の形態について説明する。
図１を参照して、この発明が適用される写真処理装置１０について説明する。
写真処理装置１０は、ラボ（現像所）等に設置され、写真用のフィルム等をスキャニングして得た画像データに基づく画像を銀塩印画紙Ｐに露光（焼き付け）形成することによって写真プリントを作製する。
【００１６】
写真処理装置１０は、銀塩印画紙（以下、単に印画紙という）Ｐに露光処理を施すプリント部１２、印画紙Ｐに現像処理と乾燥処理とを施すプロセッサ部１４、写真処理装置１０の動作を制御するコントローラ１６、写真用のフィルムをスキャニングするスキャナ１８、オペレータがデータ入力や指示を行うための入力部２０、およびＧＵＩ（Graphical User Interface）やオペレータへのメッセージ等を表示する表示部２２を含む。
【００１７】
プリント部１２は、長尺の印画紙Ｐを収納するペーパーマガジン２４を含む。ペーパーマガジン２４に収納される印画紙Ｐは、所定の搬送経路（図１において二点鎖線で示す）に沿って引き出され、図示しないカッタによって適宜のサイズにカットされる。カット済みの印画紙Ｐの搬送経路上には露光ユニット２６が配置される。露光ユニット２６は、印画紙Ｐにレーザ光を照射し、印画紙Ｐに画像（潜像）を露光形成する。プリント部１２で露光処理が施された印画紙Ｐはプロセッサ部１４に送られる。
【００１８】
プロセッサ部１４は、現像部２８と乾燥部３０とを含む。現像部２８は複数の処理槽を有し、複数の処理槽内には露光済みの印画紙Ｐに現像、定着および洗浄等の処理を行うための種類の異なる処理液がそれぞれ充填されている。
【００１９】
また、プロセッサ部１４には、給水タンク３２と廃液タンク３４とが設けられる。給水タンク３２は複数の処理槽にそれぞれ対応して複数設けられ、給水タンク３２から対応する処理槽に水や処理液が適宜補給される。廃液タンク３４は複数の処理槽にそれぞれ対応して複数設けられ、廃液タンク３４には対応する処理槽から廃液が適宜排出される。なお、煩雑化を防止するために、図１においては給水タンク３２と廃液タンク３４とを１つずつ示す。
【００２０】
給水タンク３２には給水タンク３２内の液量を検出するための液量センサ３６が設けられる。同様に、廃液タンク３４には廃液タンク３４内の液量を検出するための液量センサ３８が設けられる。液量センサ３６，３８からの検出信号は、コントローラ１６に入力される。
【００２１】
また、プロセッサ部１４には、現像部２８の上方を覆うカバー４０が開閉可能に設けられる。写真処理装置１０の運転中には、各処理槽内の処理液が図示しないヒータによって約４０℃に温められる。このために、ある処理槽の処理液が気化した後に液化して他の処理槽の処理液に混入し、他の処理槽の処理液をコンタミネーション（汚染）するおそれがある。そこで、写真処理装置１０の運転中には、図示しないファンを駆動させることによってプロセッサ部１４内の換気が行われる。また、写真処理装置１０の運転停止後には、カバー４０を開扉しておくことによってプロセッサ部１４内の換気が行われる。写真処理装置１０では、このようにプロセッサ部１４内を換気することによって、処理液のコンタミネーションが防止される。カバー４０には、カバー４０の開閉状態を検出するための開閉センサ４２が設けられる。開閉センサ４２からの検出信号は、コントローラ１６に入力される。
【００２２】
露光済みの印画紙Ｐに形成された潜像は、現像部２８の複数の処理槽内を順次通過することによって現像される。現像部２８で現像処理が施された印画紙Ｐは、乾燥部３０に送られ、ヒータ４４が発する熱によって乾燥された後に、排出口１４ａから仕上がりプリントとして排出される。
【００２３】
パーソナルコンピュータ等であるコントローラ１６は、ＣＰＵバスで相互に接続されたＣＰＵ１６ａ、ＲＯＭ１６ｂ、ＲＡＭ１６ｃ、およびハードディスクドライブ（ＨＤＤ：ハードディスクを含む）１６ｄを含む。
【００２４】
ＣＰＵ１６ａは、ＲＯＭ１６ｂやＨＤＤ１６ｄ等に格納される各種のプログラムを実行し、写真処理装置１０の各構成要素に指示を与え、かつそれらの動作を制御する。
【００２５】
ＲＯＭ１６ｂは、起動用プログラム等を格納している。起動用プログラムは、写真処理装置１０の電源投入時にＣＰＵ１６ａによって実行される。これによって、ＨＤＤ１６ｄに格納されているオペレーティングシステム（ＯＳ）等のプログラムがＲＡＭ１６ｃにロードされ、各種の処理や制御が実行可能となる。
【００２６】
ＲＡＭ１６ｃは、ＣＰＵ１６ａの作業領域として使用される。ＲＡＭ１６ｃには、写真処理装置１０を制御するプログラムが展開され、ＲＡＭ１６ｃは、このプログラムによる処理結果、処理のための一時データ、表示部２２に表示させる表示内容に対応する表示用データ（テキストデータ、画像データ等）等を保持する。
【００２７】
ＨＤＤ１６ｄは、プログラム、制御用データ、テキストデータ、画像データ等を、ＣＰＵ１６ａの指示に従ってハードディスクに対して書き込みまた読み出す。この実施形態では、ＨＤＤ１６ｄのハードディスクに、図２〜図７に示すような画面に対応する表示用データが格納されるとともに、図８に示す動作を実行するためのプログラムが格納される。
【００２８】
スキャナ１８は、写真用のフィルムに形成されたコマ画像に対応する画像データを取得するために写真用のフィルムをスキャニングする。スキャナ１８にはオートフィルムキャリア（ＡＦＣ）４６が着脱可能に設けられる。スキャナ１８は、ＡＦＣ４６によって写真用のフィルムを搬送しつつ写真用のフィルムをスキャニングし、写真用のフィルムに形成されたコマ画像に対応する画像データをコントローラ１６に入力する。コマ画像に対応する画像データは、たとえばＨＤＤ１６ｄのハードディスクに格納され、露光処理の際に露光ユニット２６に入力される。これによって、印画紙Ｐに写真フィルムのコマ画像が露光形成される。
【００２９】
入力部２０はキーボードやマウス等からなり、表示部２２はＣＲＴモニタ等からなる。表示部２２は、コントローラ１６のＲＡＭ１６ｃ上に展開される表示用データに対応する表示内容（テキスト、画像等）を表示する。
【００３０】
このように構成される写真処理装置１０は、次回の起動時に写真処理装置１０を円滑に動作させるために、たとえばラボの一日の終業時に終業点検される。メンテナンスの一例である終業点検は、各部の洗浄や次回の起動時に必要な消耗品の補充等、複数の作業によって構成される。表１に終業点検を構成する作業の一例を示す。
【００３１】
【表１】
0004826894.tif 000002
【００３２】
表１に示すように、この実施形態では、１１項目の作業によって終業点検が構成される。以下、終業点検を構成する作業に１〜１１の番号を付して説明する。番号１の「集計データ表示」は、その日に作製したプリントの枚数等を表示し必要に応じて出力する作業である。番号２の「設定データ保存」は、図示しないメディアドライブに装填されたフロッピーディスク（登録商標）やＭＯ等のメディアに写真処理装置１０の設定状態を保存する作業である。番号３の「ＡＦＣクリーニング」は、図示しないクリーニングリーダをＡＦＣ４６（図１参照）に搬送させることによってＡＦＣ４６の搬送機構の埃を除去する作業である。番号４の「プログラムタイマー時刻設定」は、写真処理装置１０を自動的に起動させる時刻を設定する作業である。番号５の「ディスクデフラグメンテーション実行設定」は、ＨＤＤ１６ｄのハードディスクの領域を整理するためのデフラグメンテーションソフトを次回の起動時に実行させるか否かを設定する作業である。番号６の「自動洗浄」は、現像部２８の各処理槽に処理液の結晶が付着しないように現像部２８を洗浄する作業である。番号７の「廃液回収」は、廃液タンク３４内の廃液を回収する作業である。番号８の「給水タンク液量確認」は、給水タンク３２内の液量を確認し、必要に応じて給水タンク３２に水や処理液を補給する作業である。番号９の「カバー開扉」は、処理液のコンタミネーションを防止するためにカバー４０を開扉する作業である。番号１０の「スキャナ光学系およびＡＦＣ清掃」は、ＡＦＣ４６をスキャナ１８から取り外してスキャナ１８の光学系を清掃し、かつＡＦＣ４６を分解して調整および清掃する作業である。番号１１の「ＡＦＣ装着」は、番号１０の作業でスキャナ１８から取り外したＡＦＣ４６をスキャナ１８に取り付ける作業である。
【００３３】
番号１〜６の作業は入力部２０からのオペレータの指示に従って写真処理装置１０が自動的に実施し、番号７〜１１の作業はオペレータによって実施される。番号６の「自動洗浄」は番号９の「カバー開扉」よりも前に実施しておく必要がある。それ以外の作業についてはどの順で実施してもよい。なお、番号１１の「ＡＦＣ装着」が番号１０の「スキャナ光学系およびＡＦＣ清掃」よりも後に実施されることはいうまでもない。
【００３４】
写真処理装置１０では、終業点検を構成する複数の作業のうち実施することを許可する作業の数がオペレータの種類によって異なる。オペレータの種類は予め複数設定されており、終業点検するオペレータの技能（習熟度）に応じて複数のオペレータの種類のうちいずれか１つのオペレータの種類が選択される。
【００３５】
この実施形態では、オペレータの種類として第１の種類に相当する「上級」および第２の種類に相当する「初級」の２種類が予め設定されているものとする。オペレータの種類として「上級」が選択された場合、オペレータは終業点検を構成する複数の作業のうち全ての作業を実施することが許可される。一方、オペレータの種類として「初級」が選択された場合、オペレータは終業点検を構成する複数の作業のうち少なくとも１つの作業を実施することが許可されない。この実施形態では、オペレータの種類として「初級」が選択された場合、オペレータは表１の番号１〜４，１０，１１の作業を実施することが許可されない。ＨＤＤ１６ｄには、オペレータの種類「初級」に関連付けて、表１の番号１〜４，１０，１１の作業を実施することが許可されていないことを示すフラグ等の制御用データが格納される。
【００３６】
通常、写真処理装置１０の取り扱いに習熟した上級オペレータが終業点検する場合にはオペレータの種類として「上級」が選択され、写真処理装置１０の取り扱いに不慣れなアルバイト等の初級オペレータが終業点検する場合にはオペレータの種類として「初級」が選択される。オペレータの種類は、終業点検の際に表示部２２に表示される選択画面５０上で選択される。
【００３７】
ついで、図２を参照して、選択画面５０について説明する。
選択画面５０は、終業点検するオペレータの種類を複数のオペレータの種類（ここでは「上級」および「初級」）から選択するために用いられる。選択画面５０には、表示欄５２と表示欄５２に隣接する選択ボタン５４とが設けられる。選択ボタン５４が押されることによって、表示欄５２の下方にオペレータの種類を複数表示する選択欄５６が展開され、選択欄５６で選択されたオペレータの種類が表示欄５２に表示される。図２においては、オペレータの種類として選択欄５６で「上級」が選択され、表示欄５２に「上級」が表示された状態が示されている。
【００３８】
また、選択画面５０には開始ボタン５８が設けられる。表示欄５２にオペレータの種類を表示した状態で開始ボタン５８が押されることによって、選択画面５０が表示部２２から消えるとともに、ガイダンス画面６０が表示部２２に表示される。
【００３９】
ついで、図３を参照して、ガイダンス画面６０について説明する。
ガイダンス画面６０は、選択画面５０で選択されたオペレータの種類に基づいて、オペレータに実施することを許可する作業に関する情報を表示するために用いられる。
【００４０】
図３に示すように、ガイダンス画面６０には、実施することを許可する作業に関する情報をテキストで表示する表示欄６２が設けられる。図３においては、終業点検の１１項目の作業（全ての作業）に対応して１１個の表示欄６２（６２ａ〜６２ｋとする）が設けられたガイダンス画面６０が示されている。表示欄６２ａは表１の番号１の作業に対応し、表示欄６２ａには番号１の作業に関するメッセージが表示される。同様に、表示欄６２ｂ〜６２ｋは表１の番号２〜１１の作業にそれぞれ対応し、表示欄６２ｂ〜６２ｋには番号２〜１１の作業に関するメッセージがそれぞれ表示される。
【００４１】
また、ガイダンス画面６０には、表示欄６２ａ〜６２ｅひいては表１の番号１〜５の作業に対応してＹＥＳボタン６４ａ〜６４ｅとＮＯボタン６６ａ〜６６ｅとが設けられ、表示欄６２ｆひいては表１の番号６の作業に対応してＹＥＳボタン６４ｆが設けられる。ＹＥＳボタン６４ａ〜６４ｆが押されることによって、図示しない画面が表示部２２に表示され、当該画面上で表１の番号１〜６の作業を実施するためのデータ入力や指示が行われる。表１の番号１〜５の作業については、実施しなくても写真処理装置１０の起動に影響がないので、ＮＯボタン６６ａ〜６６ｅを押すことによって実施したものとみなされる。つまり、表１の番号１〜５の作業についてはＮＯボタン６６ａ〜６６ｅを押すことによってキャンセルできる。
【００４２】
なお、図３にはオペレータの種類として「上級」が選択され、オペレータに全て作業を実施することを許可した状態のガイダンス画面６０が示されている。ちなみに、オペレータの種類として「初級」が選択された場合、図４に示すようなガイダンス画面６０が表示される。図４に示すガイダンス画面６０では、図３に示すガイダンス画面６０から表示欄６２ａ〜６２ｄ，６２ｊ，６２ｋ、ＹＥＳボタン６４ａ〜６２ｄ、およびＮＯボタン６２ａ〜６２ｄが削除されている。
【００４３】
また、図３および図４に示すように、ガイダンス画面６０には、ＯＫボタン６８が設けられる。ＯＫボタン６８が押されることによって、ガイダンス画面６０が表示部２２から消えるとともに、終業点検を構成する複数の作業のうち実施されていない作業（未実施の作業）がある場合には図５に示すような報知画面７０が表示部２２に表示される。
【００４４】
ついで、図５を参照して、報知画面７０について説明する。
報知画面７０は、未実施の作業をオペレータに報知するために用いられる。報知画面７０には、未実施の作業の項目名を表示する表示欄７２が設けられる。
【００４５】
終業点検は１１項目の作業によって構成されるので、何ら作業を実施していない状態でガイダンス画面６０のＯＫボタン６８が押された場合、報知画面７０には表１の番号１〜１１の作業にそれぞれ対応する１１個の表示欄７２が設けられる。図５には、番号５〜９の作業（表１参照）を実施した状態で表示される報知画面７０が示されている。したがって、図５に示す報知画面７０には、表１の番号１〜４，１０，１１の作業の項目名を表示する表示欄７２（７２ａ〜７２ｄ，７２ｊ，７２ｋとする）が設けられる。
【００４６】
また、報知画面７０には、続きから実施ボタン７４が設けられる。続きから実施ボタン７４が押されることによって、報知画面７０が表示部２２から消えるとともに、選択画面５０が表示部２２に表示される。これと同時に、次にガイダンス画面６０を表示する際に、実施することを許可する作業のうち未実施の作業に対応する表示欄６２をガイダンス画面６０に設ける設定がなされる。具体的には、たとえば、表１の番号５〜９の作業が実施済みでありかつ続きから実施ボタン７４が押された後に選択画面５０で「上級」が選択された場合、図６に示すガイダンス画面６０を表示する設定がなされる。図６に示すガイダンス画面６０では、図３に示すガイダンス画面６０から表１の番号５〜９の作業に対応する表示欄６２ｅ〜６２ｉが削除されている。
【００４７】
また、報知画面７０には、やり直しボタン７６が設けられる。やり直しボタン７６が押されることによって、報知画面７０が表示部２２から消えるとともに、選択画面５０が表示部２２に表示される。これと同時に、次にガイダンス画面６０を表示する際に、実施することを許可する作業のうち実施済みの作業に対応する表示欄６２と未実施の作業に対応する表示欄６２とを識別できるように未実施の作業に対応する表示欄６２のテキストの色を変更する設定がなされる。具体的には、たとえば、表１の番号５〜９の作業が実施済みでありかつやり直しボタン７６が押された後に選択画面５０で「上級」が選択された場合、図７に示すガイダンス画面６０を表示する設定がなされる。図７に示すガイダンス画面６０では、表１の番号１〜４，１０，１１の作業に対応する表示欄６２ａ〜６２ｄ，６２ｊ，６２ｋのテキストの色に対して、表１の番号５〜９の作業に対応する表示欄６２ｅ〜６２ｉのテキストの色が変更される。なお、図７においては、テキストの色が異なることを示すために表示欄６２ｅ〜６２ｉに斜線を付す。
【００４８】
ついで、図８を参照して、終業点検における写真処理装置１０の動作について説明する。
まず、入力部２０からの指示に従ってＨＤＤ１６ｄに格納される終業点検用プログラムがＲＡＭ１６ｃに展開され、終業点検モードに入り、設定画面５０（図２参照）が表示部２２に表示される（ステップＳ１）。
【００４９】
つづいて、設定画面５０で「初級」が選択され開始ボタン５８が押されると（ステップＳ３がＹＥＳ）、ＨＤＤ１６ｄに格納される制御用データに基づいて実施することを許可しない作業に対応する表示欄６２をガイダンス画面６０（図３参照）から削除する設定がなされる（ステップＳ５）。具体的には、表１の番号１〜４，１０，１１の作業に対応する表示欄６２ａ〜６２ｄ，６２ｊ，６２ｋをガイダンス画面６０から削除する設定がなされる。
【００５０】
つづいて、実施することを許可する作業に対応する表示欄６２が設けられるガイダンス画面６０が表示部２２に表示される（ステップＳ７）。また、設定画面５０で「上級」が選択されると（ステップＳ３がＮＯ）、ステップＳ５を行わずに、ステップＳ７に移る。したがって、ステップＳ３で「初級」が選択された場合、終業点検モードに入って１回目のステップＳ７では、図４に示すガイダンス画面６０が表示される。一方、ステップＳ３で「上級」が選択された場合、終業点検モードに入って１回目のステップＳ７では、図３に示すガイダンス画面６０が表示される。
【００５１】
つづいて、ガイダンス画面６０の表示欄６２に対応する作業が実施されることによって、当該作業に関連付けられる実施フラグがオンに設定される（ステップＳ９）。
【００５２】
なお、「実施フラグ」とは、実施済みであるか否かをオンとオフとで判断するために、終業点検の各作業に関連付けられるデータである。実施フラグがオンの作業は実施済みであると判断され、実施フラグがオフの作業項目は未実施であると判断される。終業点検モードに入った時点では、全ての作業の実施フラグがオフに設定されている。
【００５３】
表１および図３を参照して、番号１の作業については、ガイダンス画面６０のＹＥＳボタン６４ａまたはＮＯボタン６６ａが押されることによって実施フラグがオンに設定される。番号２〜５の作業についても同様に、それぞれＹＥＳボタン６４ｂ〜６４ｅまたはＮＯボタン６６ｂ〜６６ｅが押されることによって実施フラグがオンに設定される。また、番号６の作業については、ガイダンス画面６０のＹＥＳボタン６４ｆが押されることによって実施フラグがオンに設定される。
【００５４】
また、表１および図１を参照して、番号７の作業については、液量センサ３８からの検出信号に基づいて実施フラグがオンに設定される。番号８の作業については、液量センサ３６からの検出信号に基づいて実施フラグがオンに設定される。番号９の作業については、開閉センサ４２からの検出信号に基づいて実施フラグがオンに設定される。番号１０，１１の作業については、ＡＦＣ４６の取り外しを検出するためにスキャナ１８に設けられる図示しないセンサからの検出信号に基づいて実施フラグがオンに設定される。
【００５５】
図８に戻って、つづいて、ガイダンス画面６０のＯＫボタン６８が押されることによって（ステップＳ１１がＹＥＳ）、実施フラグがオフの作業があるか否かが判断される（ステップＳ１３）。つまり、未実施の作業があるか否かが判断される。未実施の作業がない場合（ステップＳ１３がＮＯ）、終業点検を終了する。
【００５６】
一方、未実施の作業がある場合（ステップＳ１３がＹＥＳ）、未実施の作業に対応する表示欄７２が設けられる報知画面７０（図５参照）が表示部２２に表示される（ステップＳ１５）。そして、報知画面７０で続きから実施ボタン７４が押されると（ステップＳ１７がＹＥＳ）、実施フラグがオンの作業に対応する表示欄６２をガイダンス画面６０から削除する設定がなされる（ステップＳ１９）。つまり、実施済みの作業に対応する表示欄６２をガイダンス画面６０から削除する設定がなされる。
【００５７】
つづいて、実施済みの作業に対応する表示欄６２のテキストの色を変更する設定がなされているか否かが判断される（ステップＳ２１）。そして、実施済みの作業に対応する表示欄６２のテキストの色を変更する設定がなされている場合（ステップＳ２１がＹＥＳ）、テキストの色を変更する設定を解除し（ステップＳ２３）、実施することを許可しない作業に対応する表示欄６２を削除する設定を解除し（ステップＳ２５）、ステップＳ１に戻る。一方、実施済みの作業に対応する表示欄６２のテキストの色を変更する設定がなされていない場合（ステップＳ２１がＮＯ）、ステップＳ２３を行わずにステップＳ２５に移り、ステップＳ１に戻る。その後、ステップＳ１３がＮＯになれば、終業点検を終了する。
【００５８】
一方、報知画面７０でやり直しボタン７６が押されると（ステップＳ１７がＮＯ）、実施済みの作業に対応する表示欄６２のテキストの色を変更する設定がなされる（ステップＳ２７）。そして、実施済みの作業に対応する表示欄６２を削除する設定がなされているかが判断される（ステップＳ２９）。そして、実施済みの作業に対応する表示欄６２を削除する設定がなされている場合（ステップＳ２９がＹＥＳ）、削除する設定を解除し（ステップＳ３１）、ステップＳ２５に移り、ステップＳ１に戻る。一方、実施済みの作業に対応する表示欄６２を削除する設定がなされていない場合（ステップＳ２９がＮＯ）、ステップＳ３１の処理を行わずにステップＳ２５に移り、ステップＳ１に戻る。その後、ステップＳ１３がＮＯになれば、終業点検を終了する。
【００５９】
なお、表１の番号５〜９の作業が実施済みでありかつステップＳ３がＹＥＳである場合、ステップＳ７ではガイダンス画面６０に表示欄６２が１つも設けられないこととなるので、表示部２２に所定のメッセージを表示してステップＳ１に戻るようにしてもよい。
【００６０】
また、報知画面７０に保留ボタンを設け、保留ボタンが押されることによってステップＳ１３がＹＥＳであっても終業点検を終了させるようにしてもよい。
【００６１】
このような写真処理装置１０によれば、オペレータの種類に基づいてオペレータに実施することを許可する作業に対応する表示欄６２のみをガイダンス画面６０に設ける。これによって、難易度の高い作業を初級オペレータが実施するといったことを防止でき、終業点検を構成する複数の作業を複数のオペレータによって分担しつつもミスの発生を防止できる。
【００６２】
オペレータの種類として「上級」が選択された場合、終業点検の全ての作業に対応する表示欄６２がガイダンス画面６０に表示される。したがって、上級オペレータによって、終業点検の全ての作業を行い、終業点検を完了させることができる。
【００６３】
選択画面５０を表示する前に実施済みの作業がある場合、オペレータに実施することを許可する作業のうち未実施の作業に対応する表示欄６２のみをガイダンス画面６０に設ける。これによって、初級オペレータが実施した作業を上級オペレータが誤ってもう一度実施してしまうといったことを防止できる。
【００６４】
選択画面５０を表示する前に実施済みの作業がある場合、実施済みの作業と未実施の作業とを識別できるようにオペレータに実施することを許可する全ての作業に対応する表示欄６２をガイダンス画面６０に設ける。これによって、初級オペレータが実施した作業を上級オペレータが誤ってもう一度実施してしまうといったことを防止できる。また、実施済みの作業であっても当該作業が適正に行われたが否かが不安である場合、実施済みの作業をもう一度実施することができる。
【００６５】
なお、上述の実施形態では、オペレータの種類が「初級」であれば表１の番号１〜４，１０，１１の作業を実施することが許可されない場合について説明したが、この発明はこれに限定されない。オペレータの種類が「初級」である場合にオペレータに実施することを許可しない作業は、たとえば図示しない設定画面上で任意に設定できる。
【００６６】
また、上述の実施形態では、オペレータの種類として「上級」と「初級」との２種類が予め設定されている場合について説明したが、この発明はこれに限定されない。たとえば、「初級」よりも実施することが許可される作業の数が多い「中級」をオペレータの種類に加えてもよい。つまり、オペレータの種類として、実施することが許可される作業の数を異ならせて第２の種類を複数設定しておいてもよい。
【００６７】
さらに、上述の実施形態では、この発明の表示制御方法を写真処理装置１０の終業点検に適用する場合について説明したが、これに限定されない。この発明の表示制御方法は、任意の機器の任意のメンテナンスに適用できる。
【図面の簡単な説明】
【００６８】
【図１】この発明が適用される写真処理装置を示す図解図である。
【図２】図１の写真処理装置の表示部に表示される選択画面の一例を示す図解図である。
【図３】図１の写真処理装置の表示部に表示されるガイダンス画面の一例を示す図解図である。
【図４】図１の写真処理装置の表示部に表示されるガイダンス画面の他の例を示す図解図である。
【図５】図１の写真処理装置の表示部に表示される報知画面の一例を示す図解図である。
【図６】図１の写真処理装置の表示部に表示されるガイダンス画面のその他の例を示す図解図である。
【図７】図１の写真処理装置の表示部に表示されるガイダンス画面のその他の例を示す図解図である。
【図８】図１の写真処理装置の終業点検における動作の一例を示すフロー図である。
【符号の説明】
【００６９】
１０      写真処理装置
１６      コントローラ
２２      表示部
５０      選択画面
５２，６２，７２      表示欄
６０      ガイダンス画面
７０      報知画面
【図１】
0004826894.tif 000003
【図２】
0004826894.tif 000004
【図３】
0004826894.tif 000005
【図４】
0004826894.tif 000006
【図５】
0004826894.tif 000007
【図６】
0004826894.tif 000008
【図７】
0004826894.tif 000009
【図８】
0004826894.tif 000010